(57)【特許請求の範囲】
【請求項１】
排尿を受けて排出する小便器であって、
排尿を受けるボウル面を形成し、その底部に排水口を形成するボウル部と、
このボウル部内の上方領域に設けられて上記ボウル部内に洗浄水を吐水する吐水装置と、
上記ボウル部の排水口よりも下流側に設けられ、その内部に封水を形成する排出部と、を有し、
上記吐水装置は、洗浄水を上記ボウル面のほぼ中央領域に向けて吐水する第１の吐水部と、洗浄水を上記吐水装置から離間したボウル面の所定領域に着水させるように上記ボウル部内の水平及び／又は斜め上方に向けて吐水する第２の吐水部と、を備え、この第２の吐水部から吐水される洗浄水の瞬間流量は、上記第１の吐水部から吐水される洗浄水の瞬間流量よりも低く設定されていることを特徴とする小便器。
【請求項２】
上記第２の吐水部は、その先端部に設けられて上記第２の吐水部から離間した上記ボウル面の所定領域に洗浄水を着水させるように上記ボウル部内の水平及び／又は斜め上方に向けて吐水する吐水するノズル部を備えている請求項１記載の小便器。
【請求項３】
上記第２の吐水部のノズル部の先端部には、上記第２の吐水部から離間した上記ボウル面の所定領域に洗浄水を着水させるように上記ボウル部内の水平及び／又は斜め上方に向けて吐水可能な単一の円形断面形状の吐水口が形成されている請求項２記載の小便器。
【請求項４】
上記第２の吐水部のノズル部の先端部には、上記第２の吐水部から離間した上記ボウル面の所定領域に洗浄水を着水させるように上記ボウル部内の水平及び／又は斜め上方に向けてシャワー状に吐水可能な複数の散水孔が形成されている請求項２記載の小便器。
【請求項５】
上記第２の吐水部のノズル部は、正面視で上記第１の吐水部に対して互いに左右対称に配置されている複数のノズル部である請求項２乃至４の何れか１項に記載の小便器。
【請求項６】
上記第２の吐水部のノズル部は、上記第１の吐水部の近傍に設けられた基端部と、この基端部から上記第１の吐水部の一方の側に向かって所定の傾斜角度で延びるように形成された第１のノズル部と、上記基端部から上記第１の吐水部の他方の側に向かって所定の傾斜角度で延びるように形成された第２のノズル部と、を備えている請求項２乃至５の何れか１項に記載の小便器。
【請求項７】
上記吐水装置は、更に、給水源から洗浄水が供給される主給水路と、この主給水路の下流側の分岐部に接続されて上記主給水路から供給された洗浄水を上記第１の吐水部に供給する第１の給水路と、上記主給水路の上記分岐部に接続されて上記主給水路から供給された洗浄水を上記第２の吐水部に供給する第２の給水路と、上記第１の給水路に設けられて上記第１の給水路の洗浄水の瞬間流量を調整する第１の流量調整手段と、上記第２の給水路に設けられて上記第２の給水路の洗浄水の瞬間流量を上記第１の給水路の洗浄水の瞬間流量よりも低くなるように調整する第２の流量調整手段と、を備えている請求項１乃至６の何れか１項に記載の小便器。
【請求項８】
上記吐水装置は、更に、使用者が小便器を使用した場合に上記第２の吐水部から洗浄水を吐水し、また、上記使用者が小便器を使用した場合とは別に、所定時間が経過する毎に上記第１の吐水部から洗浄水を吐水するように制御する制御部を備えている請求項１乃至７の何れか１項に記載の小便器。
【請求項９】
上記吐水装置は、更に、電解除菌水を生成する電解槽を含み且つ上記第２の吐水部に上記電解除菌水を供給する電解除菌水供給部を備えている請求項１乃至８の何れか１項に記載の小便器。
【発明の詳細な説明】
【技術分野】
【０００１】
本発明は、小便器に係り、特に、排尿を受けて排出する小便器に関する。
【背景技術】
【０００２】
従来から、排尿を受けて排出する小便器として、例えば、特許文献１に記載されているように、小便器のボウル部内に洗浄水を吐水する吐水装置であるスプレッダーの洗浄ノズルにおいて、側方への吐出口と、下方への吐出口との複数の吐出口が形成され、切替弁を切り替えることにより各吐出口から同一の単位時間当たりの流量［Ｌ／ｍｉｎ］（以下「瞬間流量［Ｌ／ｍｉｎ］」）の洗浄水が吐出されるようになっているものが知られている。
また、特許文献２には、小便器のボウル部内に洗浄水を吐水する吐水装置であるスプレッダーの洗浄ノズルにおいて、そのボウル部側の先端部に、第１の放水流路と、この第１の放水流路と吐水範囲が異なる第２の放水流路とが形成され、共通する１つの供給流路から、同一の瞬間流量（［Ｌ／ｍｉｎ］）の洗浄水が第１の放水流路と第２の放水流路のそれぞれに供給されるものについても知られている。
【先行技術文献】
【特許文献】
【０００３】
【特許文献１】特開２００４−１５００１３号公報
【特許文献２】特開平８−２３９８８９号公報
【発明の概要】
【発明が解決しようとする課題】
【０００４】
しかしながら、上述した特許文献１及び２に記載されている従来の小便器においては、ボウル部のボウル面に広範囲に亘って飛散して付着した尿を効果的に洗浄しようとすると、過大な洗浄水量が必要となり、より高い瞬間流量で洗浄水を吐水しなければならず、近年の洗浄水の節水化の要請に応えることができないという問題がある。
また、近年の小便器では、便器本体のデザインの多様化により、便器本体のボウル部や側壁の形状に連続的な滑らかな曲線美や美観性のある曲面が採用されている形態も多いが、このようなボウル部の滑らかな曲面を有するボウル面等に、より高い瞬間流量で洗浄水を吐水した場合には、ボウル面の形態によっては、吐水された洗浄水の一部がボウル面の外へ飛び出しやすいため、小便器の洗浄性能も損なわれるという問題もある。
したがって、低洗浄水量でボウル部のボウル面に付着している尿による汚れを広範囲に亘って洗浄することができる小便器をいかに提供するかが要請された課題となっている。
【０００５】
そこで、本発明は、上述した従来技術の問題や課題を解決するためになされたものであり、ボウル部のボウル面に付着している尿による汚れを低洗浄水量で広範囲に亘って効果的に洗浄することができる小便器を提供することを目的としている。
【課題を解決するための手段】
【０００６】
上記の目的を達成するために、本発明は、排尿を受けて排出する小便器であって、排尿を受けるボウル面を形成し、その底部に排水口を形成するボウル部と、このボウル部内の上方領域に設けられて上記ボウル部内に洗浄水を吐水する吐水装置と、上記ボウル部の排水口よりも下流側に設けられ、その内部に封水を形成する排出部と、を有し、上記吐水装置は、洗浄水を上記ボウル面のほぼ中央領域に向けて吐水する第１の吐水部と、洗浄水を上記吐水装置から離間したボウル面の所定領域に着水させるように上記ボウル部内の水平及び／又は斜め上方に向けて吐水する第２の吐水部と、を備え、この第２の吐水部から吐水される洗浄水の瞬間流量は、上記第１の吐水部から吐水される洗浄水の瞬間流量よりも低く設定されていることを特徴としている。
このように構成された本発明においては、使用後の小便器のボウル部のボウル面を洗浄する際に、吐水装置の第１の吐水部から吐水される場合には、比較的高い瞬間流量で洗浄水が吐水される。このときの洗浄水は、ボウル部のボウル面のほぼ中央領域に向けて吐水されるため、ボウル部の外部へ飛び出すことなく、ボウル面に沿って排水口まで流下することによりボウル面を洗浄した後、排水口から排出部に比較的高い瞬間流量で流入する。これにより、排出部に流入した洗浄水は、排出部内の尿を効果的に排出することができると共に、排出部内やその下流側の排水設備（例えば、排水配管等）における陰毛等の異物も効果的に除去することができる。一方、吐水装置の第２の吐水部から吐水される場合には、第１の吐水部から吐水される洗浄水の瞬間流量よりも低い瞬間流量で洗浄水が吐水される。この場合、第２の吐水部の洗浄水については、吐水装置から離間したボウル面の所定領域に着水するようにボウル部内の水平及び／又は斜め上方に向けて吐水されることにより、吐水装置から離間したボウル面の所定領域に着水するまではボウル面にほとんど接触することがなく、第２の吐水部の吐水時の瞬間流量で吐水の勢いをそのまま維持した状態で、吐水装置から離間したボウル面内の所定領域に着水することができる。また、ボウル面の所定領域に着水した後の洗浄水は、ボウル面に沿って左右方向に広がるように流れることによりボウル面を洗浄する範囲を左右方向に広げつつ、ボウル部の外部へ飛び出すことなく排水口まで流れるため、第２吐水部から吐水された比較的低い瞬間流量の洗浄水でもボウル面を広範囲に亘って効果的に洗浄することができる。これらの結果、低洗浄水量でボウル部のボウル面に付着している尿による汚れを低洗浄水量で広範囲に亘って洗浄することができると共に、排出部内の陰毛等の異物を効率良く除去することができ、排出部内の尿を含む排水を効率良く洗浄水に置換することができる。
【０００７】
本発明において、好ましくは、上記第２の吐水部は、その先端部に設けられて上記第２の吐水部から離間した上記ボウル面の所定領域に洗浄水を着水させるように上記ボウル部内の水平及び／又は斜め上方に向けて吐水する吐水するノズル部を備えている。
このように構成された本発明においては、吐水装置の第２の吐水部のノズル部から吐水された洗浄水については、第１の吐水部から吐水される洗浄水の瞬間流量よりも低い瞬間流量で、吐水装置から離間したボウル面の所定領域に着水するようにボウル部内の水平及び／又は斜め上方に向けて吐水されることにより、吐水装置から離間したボウル面の所定領域に着水するまではボウル面にほとんど接触することがなく、第２の吐水部のノズル部の吐水時の瞬間流量で吐水の勢いをそのまま維持した状態で、第２の吐水部から離間したボウル面の所定領域に着水することができる。また、ボウル面の所定領域に着水した後の洗浄水は、ボウル面に沿って左右方向に広がるように流れることにより、ボウル面を洗浄する範囲を左右方向に広げつつ、ボウル部の外部へ飛び出すことなく排水口まで流れるため、ノズル部による簡易な構成によって、第２吐水部のノズル部から吐水された比較的低い瞬間流量の洗浄水でもボウル面を広範囲に亘って効果的に洗浄することができる。
【０００８】
本発明において、好ましくは、上記第２の吐水部のノズル部の先端部には、上記第２の吐水部から離間した上記ボウル面の所定領域に洗浄水を着水させるように上記ボウル部内の水平及び／又は斜め上方に向けて吐水可能な単一の円形断面形状の吐水口が形成されている。
このように構成された本発明においては、吐水装置の第２の吐水部のノズル部の単一の円形断面形状の吐水口から吐水された洗浄水は、第１の吐水部から吐水される洗浄水の瞬間流量よりも低い瞬間流量で、ボウル面の所定領域に着水するようにボウル部内の水平及び／又は斜め上方に向けて吐水されることにより、第２の吐水部から離間したボウル面の所定領域に着水するまではボウル面にほとんど接触することがなく、第２の吐水部のノズル部の単一の円形断面形状の吐水口における吐水時の瞬間流量で吐水の勢いをそのまま維持した状態で、第２の吐水部から離間したボウル面の所定領域に着水することができる。また、ボウル面の所定領域に着水した後の洗浄水は、ボウル面に沿って左右方向に広がるように流れることにより、ボウル面を洗浄する範囲を左右方向に広げつつ、ボウル部の外部へ飛び出すことなく排水口まで流れるため、第２の吐水部のノズル部の単一の円形断面形状の吐水口による簡易な構成によって、第２吐水部のノズル部から吐水された比較的低い瞬間流量の洗浄水でもボウル面を広範囲に亘って効果的に洗浄することができる。
【０００９】
本発明において、好ましくは、上記第２の吐水部のノズル部の先端部には、上記第２の吐水部から離間した上記ボウル面の所定領域に洗浄水を着水させるように上記ボウル部内の水平及び／又は斜め上方に向けてシャワー状に吐水可能な複数の散水孔が形成されている。
このように構成された本発明においては、吐水装置の第２の吐水部のノズル部の複数の散水孔から吐水された洗浄水は、第１の吐水部から吐水される洗浄水の瞬間流量よりも低い瞬間流量で、ボウル面の所定領域に着水するようにボウル部内の水平及び／又は斜め上方に向けてシャワー状に吐水されることにより、吐水装置から離間したボウル面の所定領域に着水するまではボウル面にほとんど接触することがなく、第２の吐水部のノズル部の複数の散水孔における吐水時の瞬間流量で吐水の勢いをそのまま維持した状態で、第２の吐水部から離間したボウル面の所定領域に着水することができる。また、ボウル面の所定領域に着水した後の洗浄水は、ボウル面に沿って左右方向に広がるように流れることにより、ボウル面を洗浄する範囲を左右方向に広げつつ、ボウル部の外部へ飛び出すことなく排水口まで流れるため、第２の吐水部のノズル部の複数の散水孔による簡易な構成によって、第２吐水部のノズル部から吐水された比較的低い瞬間流量の洗浄水でもボウル面を広範囲に亘って効果的に洗浄することができる。
【００１０】
本発明において、好ましくは、上記第２の吐水部のノズル部は、正面視で上記第１の吐水部に対して互いに左右対称に配置されている複数のノズル部である。
このように構成された本発明においては、第１の吐水部に対して互いに左右対称に配置されている第２の吐水部の複数のノズル部のそれぞれから吐水された洗浄水は、第１の吐水部から吐水される洗浄水の瞬間流量よりも低い瞬間流量で、吐水装置から離間したボウル面のそれぞれの所定領域に着水するようにボウル部内の水平及び／又は斜め上方に向けて吐水されることにより、吐水装置から離間したボウル面のそれぞれの所定領域に着水するまではボウル面にほとんど接触することがなく、第２の吐水部のノズル部の吐水時の瞬間流量で吐水の勢いをそのまま維持した状態で、第２の吐水部から離間したボウル面の所定領域に着水することができる。また、ボウル面のそれぞれの所定領域に着水した後の洗浄水は、ボウル面に沿って左右方向に広がるように流れることにより、ボウル面を洗浄する範囲を左右方向に広げつつ、ボウル部の外部へ飛び出すことなく排水口まで流れるため、第２の吐水部の複数のノズル部のそれぞれが第１の吐水部に対して互いに左右対称に配置されている簡易な構成によって、第２の吐水部の複数のノズル部のそれぞれから吐水された比較的低い瞬間流量の洗浄水でもボウル面をより広範囲に亘って効果的に洗浄することができる。
【００１１】
本発明において、上記第２の吐水部のノズル部は、上記第１の吐水部の近傍に設けられた基端部と、この基端部から上記第１の吐水部の一方の側に向かって所定の傾斜角度で延びるように形成された第１のノズル部と、上記基端部から上記第１の吐水部の他方の側に向かって所定の傾斜角度で延びるように形成された第２のノズル部と、を備えている。
このように構成された本発明においては、第２の吐水部のノズル部が、第１の吐水部の近傍に設けられた基端部と、この基端部から第１の吐水部の一方の側に向かって所定の傾斜角度で延びるように形成された第１のノズル部と、基端部から第１の吐水部の他方の側に向かって所定の傾斜角度で延びるように形成された第２のノズル部とを備えていることにより、第２の吐水部の第１のノズル部及び第２のノズル部のそれぞれから吐水された洗浄水は、ボウル面のそれぞれの所定領域に着水した後、ボウル面に沿って左右方向に広がるように流れることにより、ボウル面を洗浄する範囲を左右方向に広げつつ、ボウル部の外部へ飛び出すことなく排水口まで流れるため、第２の吐水部の第１のノズル部及び第２のノズル部のそれぞれが基端部から第１の吐水部のそれぞれの側に向かって所定の傾斜角度で延びる簡易な構成によって、第２の吐水部の第１のノズル部及び第２のノズル部のそれぞれから吐水された比較的低い瞬間流量の洗浄水であっても、ボウル面をより広範囲に亘って効果的に洗浄することができる。
【００１２】
本発明において、好ましくは、上記吐水装置は、更に、給水源から洗浄水が供給される主給水路と、この主給水路の下流側の分岐部に接続されて上記主給水路から供給された洗浄水を上記第１の吐水部に供給する第１の給水路と、上記主給水路の上記分岐部に接続されて上記主給水路から供給された洗浄水を上記第２の吐水部に供給する第２の給水路と、上記第１の給水路に設けられて上記第１の給水路の洗浄水の瞬間流量を調整する第１の流量調整手段と、上記第２の給水路に設けられて上記第２の給水路の洗浄水の瞬間流量を上記第１の給水路の洗浄水の瞬間流量よりも低くなるように調整する第２の流量調整手段と、を備えている。
このように構成された本発明においては、吐水装置が、更に、給水源からの洗浄水を供給する主給水路と、この主給水路の分岐部に接続されて主給水路から供給された洗浄水を第１の吐水部に供給する第１の給水路と、主給水路の分岐部に接続されて主給水路から供給された洗浄水を第２の吐水部に供給する第２の給水路と、第１の給水路に設けられて第１の給水路の洗浄水の瞬間流量を調整する第１の流量調整手段と、第２の給水路に設けられて第２の給水路の洗浄水の瞬間流量を第１の給水路の洗浄水の瞬間流量よりも低くなるように調整する第２の流量調整手段をそれぞれ備えていることにより、比較的簡易な構成で確実に、第２の吐水部から吐水される洗浄水の瞬間流量を第１の吐水部から吐水される洗浄水の瞬間流量よりも低く設定することができる。したがって、吐水装置の第１の吐水部及び第２の吐水部のそれぞれにおける吐水性能のばらつきを抑制することができる。
【００１３】
本発明において、好ましくは、上記吐水装置は、更に、使用者が小便器を使用した場合に上記第２の吐水部から洗浄水を吐水し、また、上記使用者が小便器を使用した場合とは別に、所定時間が経過する毎に上記第１の吐水部から洗浄水を吐水するように制御する制御部を備えている。
このように構成された本発明においては、吐水装置が、使用者が小便器を使用した場合に第２の吐水部から洗浄水を吐水し、また、使用者が小便器を使用した場合とは別に、所定時間が経過する毎に第１の吐水部から洗浄水を吐水するように制御する制御部を備えていることにより、使用者が小便器を使用した場合に第２の吐水部から吐水された洗浄水は、第１の吐水部から吐水される洗浄水の瞬間流量よりも低い瞬間流量でボウル面を広範囲に亘って効果的に洗浄することができる。さらに、使用者が小便器を使用した場合とは別に、所定時間が経過する毎に第１の吐水部から吐水された洗浄水は、比較的高い瞬間流量でボウル部のボウル面のほぼ中央領域から、ボウル部の外部へ飛び出すことなく、ボウル面に沿って排水口まで流下することによりボウル面を洗浄した後、排水口から排出部に比較的高い瞬間流量で流入し、排出部内の尿を効果的に排出することができると共に、排出部内の陰毛等の異物も効果的に除去することができるため、排出部内やその下流側の排水設備を保護するような洗浄を行うことができる。
【００１４】
本発明において、好ましくは、上記吐水装置は、更に、電解除菌水を生成する電解槽を含み且つ上記第２の吐水部に上記電解除菌水を供給する電解除菌水供給部を備えている。
このように構成された本発明においては、吐水装置が、電解除菌水を生成して第２の吐水部にこの電解除菌水を供給する電解除菌水供給部をさらに備えていることにより、第２の吐水部から吐水が行われる際に、電解除菌水供給部から第２の吐水部に供給された電解除菌水を含む洗浄水について、第１の吐水部から吐水される洗浄水の瞬間流量よりも低い瞬間流量で吐水するため、電解除菌水供給部の電解槽が電解除菌水を生成する負荷を抑制することができる。
【発明の効果】
【００１５】
本発明の小便器によれば、ボウル部のボウル面に付着している尿による汚れを低洗浄水量で広範囲に亘って効果的に洗浄することができる。
【図面の簡単な説明】
【００１６】
【図１】本発明の第１実施形態による小便器の概略斜視図である。
【図２】本発明の第１実施形態による小便器の正面図である。
【図３】本発明の第１実施形態による小便器の側面図である。
【図４】本発明の第１実施形態による小便器の平面図である。
【図５】本発明の第１実施形態による小便器の自動洗浄ユニットの構成を示す概略図である。
【図６】本発明の第１実施形態による小便器のスプレッダの分解斜視図である。
【図７】本発明の第１実施形態による小便器のスプレッダの正面図である。
【図８】本発明の第１実施形態による小便器のスプレッダの側面図である。
【図９】本発明の第１実施形態による小便器のスプレッダの側面断面図である。
【図１０】図８のＸ−Ｘ線に沿って見た断面図である。
【図１１】本発明の第１実施形態による小便器のスプレッダのノズル部の先端部分を拡大した部分拡大斜視図である。
【図１２】本発明の第１実施形態による小便器のスプレッダをボウル面に取付けた状態を示す斜視図であり、吐水時の洗浄水の流れを概略的に説明した図である。
【図１３】本発明の第２実施形態による小便器のスプレッダのノズル部の先端部分を拡大した部分拡大斜視図である。
【図１４】本発明の第３実施形態による小便器のスプレッダのノズル部の先端部分を拡大した部分拡大斜視図である。
【発明を実施するための形態】
【００１７】
以下、添付図面を参照して、本発明の第１実施形態による小便器について説明する。
まず、図１〜図５により小便器の基本構造について説明する。
図１は、本発明の第１実施形態による小便器の概略斜視図であり、図２は、本発明の第１実施形態による小便器の正面図である。また、図３は、本発明の第１実施形態による小便器の側面図であり、図４は、本発明の第１実施形態による小便器の平面図である。
【００１８】
図１〜図４に示すように、符号１は、本発明の第１実施形態による小便器を示し、この小便器１は、陶器製の便器本体２と、この便器本体２を洗浄するための洗浄水を自動的に便器本体２に吐水する吐水装置である自動洗浄ユニット４を備えている。
なお、本実施形態の小便器１については、便器本体２の最下部が床面から所定距離上方に位置し且つ便器本体２の背面がその背後の壁面に沿って取付けられる壁掛け式の小便器について説明するが、便器本体２が床面上に直接配置される床置き式の小便器であってもよい。
【００１９】
つぎに、図１〜図４に示すように、便器本体２の正面側には、排尿を受けるボウル部６（詳細は後述する）が形成されており、このボウル部６よりも背面側の便器本体２の上方領域には、自動洗浄ユニット４を収納するための収納室８が形成されている。
また、便器本体２のボウル部６の底部には、排水口１０が形成されており、この排水口１０の上方には、目皿１２が配置されている。なお、目皿１２には、排水口１０と連通させる複数の連通穴（図示せず）や排水口１０との間に隙間（図示せず）が形成されているが、これらの説明については省略する。
さらに、便器本体２の排水口１０の下流側には、その内部に封水を形成する排出部である排水トラップ管路１４が形成されており、この排水トラップ管路１４の下流側には、排水ソケット（図示せず）等を介して排水配管（図示せず）が接続されている。
【００２０】
つぎに、図５は、本発明の第１実施形態による小便器の自動洗浄ユニットの構成を示す概略図である。
図１〜図５に示すように、自動洗浄ユニット４は、水道等の給水源（図示せず）から洗浄水が供給される主給水路１６ａを形成する主給水管１６と、この主給水管１６を止水する止水栓１８と、主給水管１６の下流側端部に接続されて且つ主給水管１６を第１の給水管２０と第２の給水管２２に分岐する分岐部である管継手２４を備えている。
また、管継手２４によって主給水管１６から分岐された一方の第１の給水管２０には、その内部の給水路（第１の給水路２０ａ）内を通過する洗浄水の瞬間流量について第１の所定の瞬間流量Ｑ１［Ｌ／ｍｉｎ］に調整する第１の流量調整手段である第１の定流量弁２６が設けられている。
さらに、この第１の定流量弁２６の下流側には、第１の給水路２０ａを開閉する第１の開閉弁２８が設けられている。この第１の開閉弁２８の下流側の第１の給水路２０ａの下流側端部には、ボウル部６内に洗浄水を吐水する吐水装置の一部であるスプレッダ３０（詳細は後述する）が設けられており、このスプレッダ３０の第１の吐水部３２が第１の給水路２０ａの下流側端部と接続されている。
なお、本実施形態では、第１の給水路２０ａからスプレッダ３０の第１の吐水部３２への洗浄水の給水時に第１の定流量弁２６により調整される洗浄水の第１の所定の瞬間流量Ｑ１［Ｌ／ｍｉｎ］については、例えば、８［Ｌ／ｍｉｎ］〜１７［Ｌ／ｍｉｎ］に設定されるのが好ましく、８［Ｌ／ｍｉｎ］〜１２［Ｌ／ｍｉｎ］に設定されるのが最も好ましい。
【００２１】
一方、管継手２４によって主給水管１６から分岐された他方の第２の給水管２２には、その内部の給水路（第２の給水路２２ａ）内を通過する洗浄水の瞬間流量について、上述した第１の給水路２０ａを通過する第１の所定の瞬間流量Ｑ１［Ｌ／ｍｉｎ］よりも低い第２の所定の瞬間流量Ｑ２［Ｌ／ｍｉｎ］に調整する第２の流量調整手段である第２の定流量弁３４が設けられている。
また、この第２の定流量弁３４の下流側には、第２の給水路２２ａを開閉する第２の開閉弁３６が設けられている。この第２の開閉弁３６の下流側の第１の給水路２０ａの下流側端部には、詳細は後述するスプレッダ３０の第２の吐水部３８が接続されている。
なお、本実施形態では、第２の給水路２２ａからスプレッダ３０の第２の吐水部３８への洗浄水の給水時に第２の定流量弁３４により調整される洗浄水の第２の所定の瞬間流量Ｑ２［Ｌ／ｍｉｎ］については、例えば、０．１［Ｌ／ｍｉｎ］〜０．６［Ｌ／ｍｉｎ］に設定されるのが好ましく、０．２［Ｌ／ｍｉｎ］〜０．５［Ｌ／ｍｉｎ］に設定されるのが最も好ましい。
【００２２】
つぎに、第２の開閉弁３６の下流側には、逆止弁４０を介して、電解除菌水ユニット４２が設けられており、この電解除菌水ユニット４２は、電解除菌水を生成する電解槽（図示せず）を備えており、第２の吐水部３８に電解除菌水を供給する電解除菌水供給部として機能するようになっている。
なお、電解除菌水は、電解除菌水ユニット４２の電解槽（図示せず）で水道水に含まれる塩化物イオンを電気分解することにより生成され、除菌成分（次亜塩素酸）を含む機能水であり、主に、除菌、油分分解、漂白の効果があり、数時間で元の水道水の成分に戻るものである。
【００２３】
また、自動洗浄ユニット４は、スプレッダ３０に設けられて便器本体２の正面側に立つ使用者の有無を検知する人体検知センサ４４（図１及び図２参照）と、この人体検知センサ４４から送信される検知信号を受信すると共に所定の制御プログラム等に基づいて第１の開閉弁２８及び第２の開閉弁３６のそれぞれの動作を制御する制御部であるコントローラ４６を備えている。
また、コントローラ４６は、人体検知センサ４４の使用者の有無の検知し、第１の開閉弁２８及び第２の開閉弁３６のそれぞれの動作を制御する以外にも、予め設定された所定時間ｔ１（例えば、ｔ１＝２時間）が経過する毎に、コントローラ４６から操作信号が第１の開閉弁２８に送信され、この操作信号により、第１の開閉弁２８が開弁し、第１の給水路２０ａからスプレッダ３０の第１の吐水部３２に洗浄水Ｗ１が供給され、ボウル部６のボウル面４８が洗浄されるようになっている。
そして、このボウル面４８を洗浄した洗浄水Ｗ１は、排水口１０から排水トラップ管路１４に流入することにより、排水トラップ管路１４内やその下流側の排水管路（図示せず）内の雑菌を下流側へ洗い流すことができるため、これらの排水トラップ管路１４内やその下流側の排水管路（図示せず）内の雑菌の繁殖を抑制し、排水トラップ管路１４やその下流側の排水管路（図示せず）等の排水設備を保護する洗浄（以下「設備保護洗浄」）を行うことができるようになっている。
なお、上述した所定時間ｔ１については、１時間〜３時間に設定するのが好ましく、１．５時間〜２．５時間に設定するのが最も好ましい。
【００２４】
なお、本実施形態では、自動洗浄ユニット４の第１の給水路２０ａ及び第２の給水路２２ａのそれぞれの洗浄水の瞬間流量Ｑ１，Ｑ２を調整する流量調整手段として、第１の対流量弁２６と第２の定流量弁３４のそれぞれを採用した形態について説明するが、これらの形態に限られず、例えば、定流量弁以外にも、流量センサ等を使用して洗浄水を適正な流量に調整する他の流量調整手段を採用し、この他の流量調整手段の動作をコントローラ４６により制御するようにしてもよい。
また、本実施形態では、自動洗浄ユニット４の第１の給水路２０ａ及び第２の給水路２２ａのそれぞれを開閉する第１の開閉弁２８と第２の開閉弁３６のそれぞれについて、電磁弁を採用した形態について説明するが、電磁弁以外の他の開閉装置を採用してもよい。
さらに、本実施形態では、自動洗浄ユニット４のコントローラ４６が第１の開閉弁２８及び第２の開閉弁３６のそれぞれの動作を制御するような形態について説明するが、このような形態に限られず、第１の開閉弁２８と第２の開閉弁３６の代わりに、管継手２４の部分に三方弁等の切替弁を設け、この切替弁の切り替え動作をコントローラ４６で制御することにより、第１の給水路２０ａ又は第２の給水路２２ａのいずれか一方と主給水路１６ａとを連通させるように制御するようにしてもよい。
また、本実施形態では、人体検知センサ４４としては、便器本体２のボウル部６の前方に使用者が存在する場合に、このセンサ４４から使用者までの距離を赤外線を用いて検知する赤外線式のセンサを採用しているが、このような赤外線式のセンサに限られず、便器本体の内部等に隠蔽可能な電波式センサ（マイクロ波センサ）を採用してもよい。
【００２５】
つぎに、図１〜図４を参照して、本実施形態の小便器の便器本体におけるボウル部の詳細について説明する。
図１〜図４に示すように、本実施形態の小便器１の便器本体２におけるボウル部６においては、ボウル部６の表面を形成するボウル面４８が、図３に示す側面視で概ねＪ字形の形状を形成している。
すなわち、図３に示すように、この側面視で概ねＪ字形の形状のボウル面４８は、収納室８の前方に形成されるボウル面４８の上方付近から下方に向かって、ボウル部６の中央高さ付近まで斜め後方に連続してなだらかな湾曲面Ｆ１を形成した後、下方の排水口１０に向かって斜め前方に湾曲した湾曲面Ｆ２を形成し、その後、この排水口１０付近から斜め前方に湾曲した湾曲面Ｆ３を形成している。
【００２６】
また、図１及び図４に示すように、スプレッダ３０が設けられているボウル面４８の上方領域においては、図４の平面視で中央部が後方側に弧状に張り出すように湾曲した湾曲面Ｆ４を形成している。
さらに、図１〜図４に示すように、ボウル部６の左右両側は、ボウル部６の前縁６ａが全周に亘ってスプレッダ３０の前端よりも前方に位置するように、ボウル面４８の上方領域の湾曲面Ｆ４における左右両側の側部４８ａ，４８ｂ付近から下方の前縁下端部６ｂまで、下方に向かう程徐々に前方に突出し、前縁下端部６ｂで結ばれる側壁部６ｃを形成している。
これらにより、ボウル部６内に形成されるボウル面４８は、スプレッタ３０の各吐水部３２，３８から吐水されて洗浄水をこのボウル面４８に沿って流下させて、ボウル面４８の最下部の排水口１０に集めることができるような形状に形成されている。
【００２７】
つぎに、図１〜図１２を参照して、本実施形態の小便器の自動洗浄ユニットにおけるスプレッダの詳細について説明する。
まず、図６は、本発明の第１実施形態による小便器のスプレッダの分解斜視図であり、図７は、本発明の第１実施形態による小便器のスプレッダの正面図である。つぎに、図８は、本発明の第１実施形態による小便器のスプレッダの側面図であり、図９は、本発明の第１実施形態による小便器のスプレッダの側面断面図である。また、図１０は、図８のＸ−Ｘ線に沿って見た断面図であり、図１１は、本発明の第１実施形態による小便器のスプレッダのノズル部の先端部分を拡大した部分拡大斜視図である。さらに、図１２は、本発明の第１実施形態による小便器のスプレッダをボウル面に取付けた状態を示す斜視図であり、吐水時の洗浄水の流れを概略的に説明した図である。
【００２８】
まず、図２及び図４に示すように、スプレッダ３０は、ボウル面４８の上方領域の湾曲面Ｆ４における左右方向の中央部に設けられており、スプレッダ３０及び人体検知センサ４４の前方側には外装カバー５０が取り付けられている。
なお、図６〜図１０及び図１２に示すスプレッダ３０においては、図２及び図４に示すスプレッダ３０の前方側に取り付けられている外装カバー５０を取り外した状態を示すと共に、スプレッダ３０に設けられている人体検知センサ４４等の関連部品については省略して示している。
【００２９】
つぎに、図６〜図１０及び図１２に示すように、スプレッダ３０は、ボウル面４８の上方領域の湾曲面Ｆ４における左右方向の中央部に固定して取り付けられるスプレッダ本体部５２と、このスプレッダ本体部５２の前方側から中心軸線Ｃ１に沿って形成される取付穴５２ａに挿入して取り付けられるノズル部材５４を備えている。
また、スプレッダ本体部５２は、図１２に示すボウル面４８の上方領域の湾曲面Ｆ４における左右方向の中央部にボウル部６とその背面側の収納室８とを貫くように形成された取付穴４８ｃに挿入された後、収納室８内で第１の給水管２０及び第２の給水管２２のそれぞれと接続されている。
【００３０】
つぎに、図９に示すように、スプレッダ本体部５２の内部には、第１の給水管２０の第１の給水路２０ａ及び第２の給水管２２の第２の給水路２２ａのそれぞれと連通する第１の通水路５６及び第２の通水路５８がそれぞれ形成されている。
また、図９、図１０及び図１２に示すように、第１の通水路５６の前方側の下流側端部には、第１の吐水部３２の一部である第１の吐水口６０が形成されている。
より具体的に説明すると、図９及び図１０に示すように、スプレッダ本体部５２の第１の通水路５６は、前後方向に延びるように形成されている上流側通水路５６ａと、この上流側通水路５６ａの下流側の前端部から下方の二つの第１の吐水口６０のそれぞれに向かって流路が拡大するように、図１０の正面視で概ね扇形形状に形成されている下流側通水路５６ｂを備えている。さらに、この下流側通水路５６ｂは、図９に示すように、第１の吐水口６０が僅かに斜め後方に差し向けられるように形成されている。
これらにより、第１の給水管２０の第１の給水路２０ａからスプレッダ本体部５２の上流側通水路５６ａ内に供給された洗浄水は、下流側通水路５６ｂを通過し、第１の吐水口６０からボウル面４８のほぼ中央領域Ｒ１（図２参照）に向けて第１の所定の瞬間流量Ｑ１［Ｌ／ｍｉｎ］の洗浄水Ｗ１として吐水されるようになっている。
【００３１】
つぎに、図６〜図１２に示すように、ノズル部材５４は、スプレッダ本体部５２の取付穴５２ａに挿入されて取り付けられる取付部６２を備えている。
また、ノズル部材５４は、取付部６２の前端部に一体に設けられた第１のノズル部６４及び第２のノズル部６６のそれぞれを第２の吐水部３８の一部として備えている。
さらに、これらの第１のノズル部６４及び第２のノズル部６６は、スプレッダ本体部５２の中心軸線Ｃ１に対して左右対称に外側に延びるように形成されており、図７に示す正面視で、第１の吐水部３２に対して左右対称に配置されている。
【００３２】
また、ノズル部材５４の取付部６２の内部には、スプレッダ本体部５２の第２の通水路５８と連通する通水路６８が形成されている。
さらに、ノズル部材５４の各ノズル部６４，６６については、第１の吐水部３２の近傍に位置し且つノズル部材５４の取付部６２の前端部を共通の基端部７０とし、この基端部７０からそれぞれの先端部までの内部には、ノズル部材５４の取付部６２の内部の通水路６８から基端部７０で分岐する通水路７２，７４がそれぞれ形成されている。
【００３３】
また、各ノズル部６４，６６の先端部には、各通水路７２，７４の下流側端部に相当する第２の吐水部３８として単一の円形断面形状の第２の吐水口７６，７８がそれぞれ形成されている。第２の給水管２２の第２の給水路２２ａからスプレッダ本体部５２の第２の通水路５８内に供給された洗浄水は、ノズル部材５４の通水路６８を経て、各ノズル部６４，６６の各第２の吐水口７６，７８から、それぞれの斜め後方側且つ斜め上方のボウル面４８の所定の着水領域Ｒ２（図２及び図１２参照）に向けて、第１の所定の瞬間流量Ｑ１［Ｌ／ｍｉｎ］よりも低い第２の所定の瞬間流量Ｑ２［Ｌ／ｍｉｎ］洗浄水Ｗ２として吐水されるようになっている。
【００３４】
さらに、図６及び図７に示すように、第２の吐水部３８の第１のノズル部６４は、第１の吐水部３２の近傍に設けられた基端部７０から第１の吐水部３２の一方の側（図６に示す第１の吐水部３２の左側）に位置する先端部の第２の吐水口７６に向かって延びている。
また、この第１のノズル部６４は、図６における平面視で基端部７０から先端部の第２の吐水口７６に向かって所定の傾斜角度α［°］だけ後方側に傾斜して延びており、図７における正面視で基端部７０から先端部の第２の吐水口７６に向かって所定の傾斜角度β［°］だけ上方に傾斜して延びるように形成されている。
同様に、第２の吐水部３８の第２のノズル部６６は、第１の吐水部３２の近傍に設けられた基端部７０から第１の吐水部３２の他方の側（図６に示す第１の吐水部３２の右側）に位置する先端部の第２の吐水口７８に向かって延びている。
また、この第２の吐水部３８の第２のノズル部６６は、図６における平面視で基端部７０から先端部の第２の吐水口７８に向かって所定の傾斜角度α［°］だけ後方側に傾斜して延びており、図７における正面視で基端部７０から先端部の第２の吐水口７８に向かって所定の傾斜角度β［°］だけ上方に傾斜して延びるように形成されている。
すなわち、図６及び図７に示すように、ノズル部材５４の各ノズル部６４，６６のそれぞれの中心軸線Ｃ２，Ｃ３は、スプレッダ本体部５２及びノズル部材５４のそれぞれの前後方向に延びる中心軸線Ｃ１と垂直に交わる直線Ｌ１に対して、図６における平面視で所定の傾斜角度α［°］だけ後方側に傾斜しており、図７における正面視で所定の傾斜角度β［°］だけ上方に傾斜している。
これにより、ノズル部材５４の各ノズル部６４，６６の各第２の吐水口７６，７８は、それぞれの斜め後方側に且つ斜め上方に所定距離だけ離間したボウル面４８の所定の着水領域Ｒ２（図２及び図１２参照）に向けて差し向けられているため、各第２の吐水口７６，７８から吐水された洗浄水Ｗ２は、ボウル面４８の上方を飛び越えて所定の着水領域Ｒ２に着水するまでは、ボウル面４８に接触することなく、各第２の吐水口７６，７８の吐水時の第２の所定の瞬間流量Ｑ２［Ｌ／ｍｉｎ］の吐水の勢いがそのまま維持されるようになっている。
【００３５】
ここで、上述したノズル部材５４の各ノズル部６４，６６の斜め後方側に傾斜した所定の傾斜角度α［°］については、例えば、１°〜２０°に設定するのが好ましく、１２°〜１７°に設定するのが最も好ましい。
また、各ノズル部６４，６６の斜め上方に傾斜した所定の傾斜角度β［°］については、例えば、１°〜１０°に設定するのが好ましく、１°〜５°に設定するのが最も好ましい。
しかしながら、これらの所定の傾斜角度α、β［°］については、要するに、スプレッダ３０が設けられるボウル面４８の湾曲面Ｆ４の曲がり具合に応じて、洗浄水Ｗ２がボウル面４８の外部に飛び出さない程度に設定していればよく、例えば、所定の傾斜角度α、β［°］を０°に設定して各第２の吐水口７６，７８から水平方向に洗浄水を吐水した場合であっても、この洗浄水がボウル面４８の外部に飛び出すことなく、ボウル面４８を広範囲に洗浄することができればよい。
すなわち、本実施形態では、各ノズル部６４，６６の各第２の吐水口７６，７８については、それぞれ吐水された洗浄水Ｗ２がボウル面４８の外部に飛び出すことなく、ボウル面４８を広範囲に洗浄することができるようにすれば、スプレッダ３０から離間したボウル面４８の所定の着水領域Ｒ２に着水するようにボウル部６内の水平方向と斜め上方のそれぞれに向けて同時に吐水するようにしてもよい。
【００３６】
つぎに、図１〜図１２を参照して、本発明の第１実施形態による小便器の動作（作用）について説明する。
まず、本発明の第１実施形態による小便器１における通常の便器洗浄の動作（作用）について説明する。
小便器１における通常の便器洗浄では、使用者が小便器１の便器本体２のボウル部６の前に立つと、人体検知センサ４４が使用者の存在を検知している検知状態となり、その検知信号がコントローラ４６に送信され、コントローラ４６が使用者の存在を認識する。
そして、使用者が小便器１のボウル面４８に対する放尿を終え、放尿を済ませた使用者が小便器１の便器本体２の前から立ち去ると、人体検知センサ４４が使用者の存在を検知していない非検知状態となり、コントローラ４６は、使用者が小便器１から立ち去ったと判断し、コントローラ４６が小便器１の通常の便器洗浄の動作を開始させる。
【００３７】
コントローラ４６は、通常の便器洗浄の動作においては、まず、第２の開閉弁３６に制御信号を送信し、第１の開閉弁２８を閉弁させると共に、第２の開閉弁３６を開弁させる。そして、主給水管１６の主給水路１６ａの洗浄水は、管継手２４を経て第２の給水管２２の第２の給水路２２ａのみに流れる。
つぎに、第２の給水路２２ａに流れた洗浄水Ｗ２は、第２の定流量弁３４を通過することにより、比較的低い第２の所定の瞬間流量Ｑ２［Ｌ／ｍｉｎ］に調整され、その後、第２の開閉弁３６を通過し、逆止弁４０を経て、スプレッダ３０のスプレッダ本体部５２の第２の通水路５８に流入する。そして、洗浄水Ｗ２は、スプレッダ３０のノズル部材５４の内部の通水路６８を通過した後、ノズル部材５４の第１のノズル部６４及び第２のノズル部６６のそれぞれの通水路７２，７４に供給される。
【００３８】
また、ノズル部材５４の各通水路７２，７４を通過した洗浄水Ｗ２は、第２の吐水口７６，７８のそれぞれから、それぞれの斜め後方側且つ斜め上方に位置するボウル面４８の所定の着水領域Ｒ２（図２及び図１２参照）に向けて、第２の所定の瞬間流量Ｑ２［Ｌ／ｍｉｎ］で吐水される。そして、この洗浄水Ｗ２は、スプレッダ３０から離間したボウル面４８の所定の着水領域Ｒ２に着水するまではボウル面４８にほとんど接触することなく、第２の吐水口７６，７８の吐水時の第２の所定の瞬間流量Ｑ２［Ｌ／ｍｉｎ］で吐水の勢いをそのまま維持した状態で、ボウル面４８の所定の着水領域Ｒ２に着水する。
さらに、ボウル面４８の所定の着水領域Ｒ２に着水した後の洗浄水Ｗ２は、ボウル面４８に沿って左右方向に広がるように流れることにより、ボウル面４８を洗浄する範囲を左右方向に広げつつ、ボウル部６の外部へ飛び出すことなく排水口１０まで流れる。
【００３９】
その後、洗浄水Ｗ２は、排水口１０から排水トラップ管路１４内に流入した後、この排水トラップ管路１４の下流側の排水配管（図示せず）に向かって流れることにより、排水トラップ管路１４や排水配管（図示せず）内の尿や陰毛等の異物を下流側に排出させる。
そして、スプレッダ３０の第２の吐水口７６，７８のそれぞれから洗浄水Ｗ２が、第２の所定の瞬間流量Ｑ２［Ｌ／ｍｉｎ］（例えば、０．２［Ｌ／ｍｉｎ］〜０．５［Ｌ／ｍｉｎ］）で所定時間ｔ２（例えば、ｔ２＝１［ｍｉｎ］）だけ継続して吐水され、低洗浄水量（例えば、０．２［Ｌ］〜０．５［Ｌ］）の洗浄水Ｗ２によりボウル面４８が広範囲に亘って洗浄された後、コントローラ４６が、第２の開閉弁３６を閉弁し、スプレッダ３０による吐水動作を停止させて、通常の便器洗浄の動作を終了させる。
【００４０】
つぎに、本発明の第１実施形態による小便器１における通常の便器洗浄とは別に行われる設備保護洗浄の動作（作用）について説明する。
コントローラ４６は、前回の設備保護洗浄が行われてから一定の所定時間ｔ１（例えば、ｔ１＝２時間）が経過していることを確認する他に、小便器１の使用回数が一定期間に一定回数に達していること等の使用条件を満たした場合、設備保護洗浄動作を開始する。
そして、自動洗浄ユニット４が、使用者が小便器１を使用した場合にスプレッダ３０の第２の吐水部３６の第２の吐水口７６，７８のそれぞれから洗浄水Ｗ２を吐水し、また、使用者が小便器１を使用した場合とは別に、予め設定された所定時間ｔ１が経過する毎に第１の吐水部３２の第１の吐水口６０から洗浄水Ｗ１を吐水するように制御する。
【００４１】
具体的には、コントローラ４６は、設備保護洗浄の動作を開始すると、第１の開閉弁２８を開弁すると共に、第２の開閉弁３６を閉弁させる。そして、主給水管１６の主給水路１６ａの洗浄水は、管継手２４を経て第１の給水管２０の第１の給水路２０ａのみに流れる。
つぎに、第１の給水路２０ａに流れた洗浄水Ｗ１は、第１の定流量弁２６を通過することにより、比較的低い第１の所定の瞬間流量Ｑ１［Ｌ／ｍｉｎ］に調整され、その後、第１の開閉弁２８を通過し、スプレッダ３０のスプレッダ本体部５２の第１の通水路５６に流入する。そして、洗浄水Ｗ１は、スプレッダ３０のスプレッダ本体部５２の上流側通水路５６ａ及び下流側通水路５６ｂを経て、第１の吐水部３２の第１の吐水口６０に供給される。
【００４２】
つぎに、第１の吐水口６０から吐水された洗浄水Ｗ１は、比較的高い瞬間流量Ｑ１でボウル部６のボウル面４８のほぼ中央領域Ｒ１に向けて吐水され、ボウル部６の外部へ飛び出すことなく、ボウル面４８に沿って排水口１０まで流下することによりボウル面４８を洗浄する。
その後、洗浄水Ｗ１は、排水口１０から排水トラップ管路１４に比較的高い瞬間流量で流入した後、この排水トラップ管路１４の下流側の排水配管（図示せず）に向かって流れることにより、排水トラップ管路１４内の尿や陰毛等の異物を下流側に排出させる。
そして、スプレッダ３０の第１の吐水口６０から洗浄水Ｗ１が第１の所定の瞬間流量Ｑ１［Ｌ／ｍｉｎ］で一定時間継続して吐水されると、コントローラ４６が、第１の開閉弁２８を閉弁し、スプレッダ３０による吐水動作を停止させて、設備保護洗浄の動作を終了させる。
【００４３】
また、特に、スプレッダ３０の第１の吐水口６０から吐水される比較的高い第１の所定の瞬間流量Ｑ１［Ｌ／ｍｉｎ］の洗浄水Ｗ１、排水口１０から排水トラップ管路１４を通過し、その下流側の排水配管（図示せず）に向かって流れることにより、水かさが上昇した洗浄水Ｗ１が、排水トラップ管路１４及び排水配管（図示せず）を洗浄しながら流れるため、これらの管路内の尿を効果的に排出することができると共に、陰毛等の異物を効果的に除去することができる。さらに、排水トラップ管路１４及び排水配管（図示せず）内に尿石や異物を所定時間ｔ１毎に洗い流すことができるため、バクテリアの増殖を抑制し、尿石の付着や発生を抑制することができる。
【００４４】
なお、上述した本実施形態の小便器１による通常の便器洗浄の動作や設備保護洗浄の動作は、一例にすぎず、例えば、通常の便器洗浄を行う際に、第１の開閉弁２８と第２の開閉弁３６の双方を開弁させることにより、スプレッダ３０の第１の吐水口６０による洗浄水Ｗ１の吐水動作と、第２の吐水口７６，７８のそれぞれによる洗浄水Ｗ２の吐水動作とを同時に行うようにしてもよい。
【００４５】
上述した本発明の第１実施形態による小便器１によれば、使用後の小便器１の便器本体２におけるボウル部６のボウル面４８を洗浄する際に、自動洗浄ユニット４のスプレッダ３０の第１の吐水口６０から吐水される場合には、比較的高い第１の所定の瞬間流量Ｑ１［Ｌ／ｍｉｎ］で洗浄水Ｗ１が吐水される。このときの洗浄水Ｗ１は、ボウル部６のボウル面４８のほぼ中央領域Ｒ１に向けて吐水されるため、ボウル部６の外部へ飛び出すことなく、ボウル面４８に沿って排水口１０まで流下することによりボウル面４８を洗浄した後、排水口１０から排水トラップ管路１４に比較的高い瞬間流量で流入する。これにより、排水トラップ管路１４に流入した洗浄水は、排水トラップ管路１４内の尿を効果的に排出することができると共に、排水トラップ管路１４内やその下流側の排水設備（例えば、排水ソケット（図示せず）や排水配管（図示せず）等）における陰毛等の異物も効果的に除去することができる。
一方、自動洗浄ユニット４のスプレッダ３０におけるノズル部材５４の各ノズル部６４，６６の第２の吐水口７６，７８のそれぞれから吐水される場合には、第１の吐水口６０から吐水される洗浄水Ｗ１の第１の所定の瞬間流量Ｑ１［Ｌ／ｍｉｎ］よりも低い第２の所定の瞬間流量Ｑ２［Ｌ／ｍｉｎ］で洗浄水Ｗ２が吐水される。この場合、第２の吐水口７６，７８の洗浄水Ｗ２については、スプレッダ３０から離間したボウル面４８の所定の着水領域Ｒ２に着水するように、第２の吐水口７６，７８から、それぞれの斜め後方側且つ斜め上方のボウル面４８の所定の着水領域Ｒ２（図２及び図１２参照）に向けて吐水される。これにより、第２の吐水口７６，７８から吐水された洗浄水Ｗ２がスプレッダ３０から離間したボウル面４８の所定の着水領域Ｒ２に着水するまではボウル面４８にほとんど接触することがなく、第２の吐水口７６，７８の吐水時の第２の所定の瞬間流量Ｑ２［Ｌ／ｍｉｎ］で吐水の勢いをそのまま維持した状態で、ボウル面４８の所定の着水領域Ｒ２に着水することができる。
また、ボウル面４８の所定の着水領域Ｒ２に着水した後の洗浄水Ｗ２は、ボウル面４８に沿って左右方向に広がるように流れることにより、ボウル面４８を洗浄する範囲を左右方向に広げつつ、ボウル部６の外部へ飛び出すことなく排水口１０まで流れるため、第２の吐水口７６，７８から吐水された比較的低い瞬間流量の洗浄水でもボウル面４８を広範囲に亘って効果的に洗浄することができる。これらの結果、簡易な構成であるスプレッダ３０のノズル部材５４の各ノズル部６４，６６の第２の吐水口７６，７８のそれぞれから吐水される洗浄水Ｗ２によって、ボウル部６のボウル面４８に付着している尿による汚れを低洗浄水量（例えば、０．２［Ｌ］〜０．５［Ｌ］）で広範囲に亘って洗浄することができると共に、排水トラップ管路１４内の陰毛等の異物を効率良く除去することができ、排水トラップ管路１４内の尿を含む排水を効率良く洗浄水に置換することができる。
【００４６】
さらに、本実施形態による小便器１によれば、スプレッダ３０のノズル部材５４の各ノズル部６４，６６の先端部にそれぞれ形成される第２の吐水口７６，７８のそれぞれが、単一の円形断面形状の吐水口としてそれぞれ機能することにより、第２の吐水口７６，７８から吐水された洗浄水Ｗ２がスプレッダ３０から離間したボウル面４８の所定の着水領域Ｒ２に着水するまではボウル面４８にほとんど接触することがなく、第２の吐水口７６，７８の吐水時の第２の所定の瞬間流量Ｑ２［Ｌ／ｍｉｎ］で吐水の勢いをそのまま維持した状態で、ボウル面４８の所定の着水領域Ｒ２に着水することができる。したがって、簡易な構成である第２の吐水口７６，７８のそれぞれから吐水される洗浄水Ｗ２によって、ボウル部６のボウル面４８に付着している尿による汚れを低洗浄水量（例えば、０．２［Ｌ］〜０．５［Ｌ］）で広範囲に亘って洗浄することができると共に、排水トラップ管路１４内の陰毛等の異物を効率良く除去することができ、排水トラップ管路１４内の尿を含む排水を効率良く洗浄水に置換することができる。
【００４７】
また、本実施形態による小便器１によれば、スプレッダ３０のノズル部材５４の各ノズル部６４，６６がスプレッダ本体部５２の中心軸線Ｃ１に対して左右対称に外側に延びるように形成されており、図７に示す正面視で、第１の吐水部３８に対して左右対称に配置されていることにより、各ノズル部６４，６６の各第２の吐水口７６，７８からそれぞれ吐水された洗浄水Ｗ２は、第１の吐水部３８の第１の吐水口６０から吐水される洗浄水Ｗ１の所定の瞬間流量Ｑ１［Ｌ／ｍｉｎ］よりも低い第２の所定の瞬間流量Ｑ２［Ｌ／ｍｉｎ］で、スプレッダ３０から離間したボウル面４８の所定の着水領域Ｒ２に着水するようにボウル部６内の水平及び／又は斜め上方に向けて吐水される。これにより、洗浄水Ｗ２は、スプレッダ３０から離間したボウル面４８のそれぞれの所定の着水領域Ｒ２に着水するまではボウル面４８にほとんど接触することがなく、第２の吐水口７６，７８の吐水時の第２の所定の瞬間流量Ｑ２［Ｌ／ｍｉｎ］で吐水の勢いをそのまま維持した状態で、ボウル面４８の所定の着水領域Ｒ２に着水することができる。さらに、ボウル面４８の所定の着水領域Ｒ２に着水した後の洗浄水Ｗ２は、ボウル面４８に沿って左右方向に広がるように流れることにより、ボウル面４８を洗浄する範囲を左右方向に広げつつ、ボウル部６の外部へ飛び出すことなく排水口１０まで流れるため、第２の吐水部３８の複数のノズル部６４，６６のそれぞれが第１の吐水部３２に対して互いに左右対称に配置されている簡易な構成によって、第２の吐水部３８の複数のノズル部６４，６６の各第２の吐水口７６，７８のそれぞれから吐水された比較的低い瞬間流量の洗浄水Ｗ２でもボウル面４８をより広範囲に亘って効果的に洗浄することができる。
【００４８】
さらに、本実施形態による小便器１によれば、第２の吐水部３８の第１のノズル部６４が、第１の吐水部３２の近傍に設けられた基端部７０から第１の吐水部３２の一方の側（図６に示す第１の吐水部３２の左側）に位置する先端部の第２の吐水口７６に向かって、図６における平面視で所定の傾斜角度α［°］だけ後方側に傾斜しており、図７における正面視で所定の傾斜角度β［°］だけ上方に傾斜して延びるように形成されている。同様に、第２の吐水部３８の第２のノズル部６６が、第１の吐水部３２の近傍に設けられた基端部７０から第１の吐水部３２の他方の側（図６に示す第１の吐水部３２の右側）に位置する先端部の第２の吐水口７８に向かって、図６における平面視で所定の傾斜角度α［°］だけ後方側に傾斜しており、図７における正面視で所定の傾斜角度β［°］だけ上方に傾斜して延びるように形成されている。これらにより、第２の吐水部３８の各ノズル部６４，６６の第２の吐水口７６，７８のそれぞれから吐水された洗浄水Ｗ２は、ボウル面４８の所定の着水領域Ｒ２に着水した後、ボウル面４８に沿って左右方向に広がるように流れることにより、ボウル面４８を洗浄する範囲を左右方向に広げつつ、ボウル部６の外部へ飛び出すことなく排水口１０まで流れることができる。したがって、第２の吐水部３８の各ノズル部６４，６６のそれぞれが基端部７０から第１の吐水部３２のそれぞれの側に向かって所定の傾斜角度α，β［°］で延びる簡易な構成によって、第２の吐水部３８の各ノズル部６４，６６の第２の吐水口７６，７８のそれぞれから吐水された比較的低い瞬間流量の洗浄水Ｗ２であっても、ボウル面４８をより広範囲に亘って効果的に洗浄することができる。
【００４９】
また、本実施形態による小便器１によれば、自動洗浄ユニット４が、給水源（図示せず）からの洗浄水を供給する主給水管１６の主給水路１６ａと、主給水管１６の分岐部である管継手２４に接続されて主給水路１６ａから供給された洗浄水Ｗ１を第１の吐水部３２に供給する第１の給水管２０の第１の給水路２０ａと、主給水管１６の分岐部である管継手２４に接続されて主給水路１６ａから供給された洗浄水Ｗ２を第２の吐水部３８に供給する第２の給水管２２の第２の給水路２２ａと、第１の給水路２０ａに設けられてその洗浄水Ｗ１の瞬間流量を第１の所定の瞬間流量Ｑ１［Ｌ／ｍｉｎ］に調整する第１の定流量弁２６と、第２の給水路２２ａに設けられてその洗浄水Ｗ２の瞬間流量を第１の給水路２０ａの洗浄水Ｗ１の第１の所定の瞬間流量Ｑ１［Ｌ／ｍｉｎ］よりも低い第２の所定の瞬間流量Ｑ２［Ｌ／ｍｉｎ］に調整する第２の定流量弁３４をそれぞれ備えていることにより、比較的簡易な構成で確実に、第２の吐水部３８から吐水される洗浄水Ｗ２の瞬間流量について第１の吐水部３２から吐水される洗浄水Ｗ１の第１の所定の瞬間流量Ｑ１［Ｌ／ｍｉｎ］よりも低い第２の所定の瞬間流量Ｑ２［Ｌ／ｍｉｎ］に設定することができる。したがって、自動洗浄ユニット４のスプレッダ３０の第１の吐水部３２及び第２の吐水部３８のそれぞれにおける吐水性能のばらつきを抑制することができる。
【００５０】
さらに、本実施形態による小便器１によれば、自動洗浄ユニット４が、使用者が小便器１を使用した場合にスプレッダ３０の第２の吐水部３６の第２の吐水口７６，７８のそれぞれから洗浄水Ｗ２を吐水し、また、使用者が小便器１を使用した場合とは別に、予め設定された所定時間ｔ１が経過する毎に第１の吐水部３２の第１の吐水口６０から洗浄水Ｗ１を吐水するように制御するコントローラ４６を備えていることにより、使用者が小便器１を使用した場合にスプレッダ３０の第２の吐水部３８の第２の吐水口７６，７８のそれぞれから吐水された洗浄水Ｗ２は、スプレッダ３０の第１の吐水部３２から吐水される洗浄水Ｗ１の第１の所定の瞬間流量Ｑ１［Ｌ／ｍｉｎ］よりも低い第１の所定の瞬間流量Ｑ２［Ｌ／ｍｉｎ］でボウル面８を広範囲に亘って効果的に洗浄することができる。
また、使用者が小便器１を使用した場合とは別に、予め設定された所定時間ｔ１が経過する毎にスプレッダ３０の第１の吐水部３２の第１の吐水口６０から吐水された洗浄水Ｗ１は、比較的高い瞬間流量Ｑ１でボウル部６のボウル面４８のほぼ中央領域Ｒ１から、ボウル部６の外部へ飛び出すことなく、ボウル面４８に沿って排水口１０まで流下することによりボウル面４８を洗浄することができる。その後、洗浄水Ｗ１は、排水口１０から排水トラップ管路１４に比較的高い瞬間流量で流入し、排水トラップ管路１４内の尿を効果的に排出することができると共に、排水トラップ管路１４内やその下流側の排水管路（図示せず）の陰毛等の異物も効果的に除去することができるため、排水トラップ管路１４やその下流側の排水管路（図示せず）等の排水設備を保護するような洗浄を行うことができる。
【００５１】
また、本実施形態による小便器１によれば、自動洗浄ユニット４が、電解除菌水を生成してスプレッダ３０の第２の吐水部３８にこの電解除菌水を供給する電解除菌水ユニット４２をさらに備えていることにより、第２の吐水部３８から吐水が行われる際に、電解除菌水ユニット４２から第２の吐水部３８に供給された電解除菌水を含む洗浄水Ｗ２について、第１の吐水部３２から吐水される洗浄水Ｗ１の第１の所定の瞬間流量Ｑ１［Ｌ／ｍｉｎ］よりも低い第２の所定の瞬間流量Ｑ２［Ｌ／ｍｉｎ］で吐水するため、電解除菌水ユニット４２の電解槽（図示せず）が電解除菌水を生成する負荷を抑制することができる。
【００５２】
つぎに、図１３を参照して、本発明の第２実施形態による小便器について説明する。
図１３は、本発明の第２実施形態による小便器のスプレッダのノズル部の先端部分を拡大した部分拡大斜視図である。
なお、図１３に示す本発明の第２実施形態による小便器１００においては、上述した本発明の第１実施形態による小便器１の部分と同一部分については同一の符号を付し、これらの説明については省略する。
【００５３】
まず、図１３に示すように、本発明の第２実施形態による小便器１００においては、スプレッダ１３０のスプレッダ本体部５２は、本発明の第１実施形態による小便器１のスプレッダ３０のスプレッダ本体部５２と共通する。
一方、本発明の第２実施形態による小便器１００では、スプレッダ１３０の第２の吐水部１３８として、ノズル部材１５４の第１のノズル部１６４及び第２のノズル部１６６のそれぞれの先端部が半球面状の表面１６４ａ，１６６ａを形成し、これらの半球面状の表面１６４ａ，１６６ａのそれぞれには、シャワー状に吐水可能な複数の散水孔１７６，１７８がそれぞれ形成されている点で、第１実施形態の小便器１におけるスプレッダ３０の単一の円形断面形状の第２の吐水口７６，７８とは異なっている。
【００５４】
上述した本発明の第２実施形態による小便器１００によれば、スプレッダ１３０の第２の吐水部１３８の各ノズル部１６４，１６６の複数の散水孔１７６，１７８のそれぞれから吐水された洗浄水Ｗ２は、スプレッダ１３０の第１の吐水口６０から吐水される洗浄水Ｗ１の第１の所定の瞬間流量Ｑ１［Ｌ／ｍｉｎ］よりも低い第２の所定の瞬間流量Ｑ２［Ｌ／ｍｉｎ］で、スプレッダ１３０から離間したボウル面４８の所定の着水領域Ｒ２に着水するようにボウル部６内の水平方向や斜め上方に向けてシャワー状に吐水される。これにより、洗浄水Ｗ２は、スプレッダ１３０から離間したボウル面４８のそれぞれの所定の着水領域Ｒ２に着水するまではボウル面４８にほとんど接触することがなく、散水孔１７６，１７８の吐水時の第２の所定の瞬間流量Ｑ２［Ｌ／ｍｉｎ］で吐水の勢いをそのまま維持した状態で、ボウル面４８の所定の着水領域Ｒ２にシャワー状に広がりながら着水することができる。さらに、ボウル面４８の所定の着水領域Ｒ２に着水した後の洗浄水Ｗ２は、ボウル面４８に沿って左右方向に広がるように流れることにより、ボウル面４８を洗浄する範囲を左右方向に広げつつ、ボウル部６の外部へ飛び出すことなく排水口１０まで流れるため、第２の吐水部１３８を複数の散水孔１７６，１７８にした簡易な構成によって、第２の吐水部１３８の複数の散水孔１７６，１７８のそれぞれからシャワー状に吐水された比較的低い瞬間流量の洗浄水Ｗ２でもボウル面４８をより広範囲に亘って効果的に洗浄することができる。
【００５５】
つぎに、図１４を参照して、本発明の第３実施形態による小便器について説明する。
図１４は、本発明の第３実施形態による小便器のスプレッダのノズル部の先端部分を拡大した部分拡大斜視図である。
なお、図１４に示す本発明の第３実施形態による小便器２００においては、上述した本発明の第１実施形態及び第２実施形態による小便器１，１００の部分と同一部分については同一の符号を付し、これらの説明については省略する。
【００５６】
まず、図１４に示すように、本発明の第３実施形態による小便器２００のスプレッダ２３０においては、上述した本発明の第２実施形態による小便器１００のスプレッダ１３０と同様に、スプレッダ２３０の第２の吐水部２３８として、ノズル部材２５４の第１のノズル部２６４及び第２のノズル部２６６のそれぞれの先端部付近に複数の散水孔２７６，２７８がそれぞれ形成されている点で、上述した本発明の第２実施形態による小便器１００のスプレッダ１３０における各ノズル部１６４，１６６の複数の散水孔１７６，１７８と共通している。
しかしながら、本発明の第３実施形態による小便器２００のスプレッダ２３０の第２の吐水部２３８である複数の散水孔２７６，２７８が、ノズル部材２５４の各ノズル部２６４，２６６の先端部の上面２６４ａ，２６６ａに形成されている点で、上述した本発明の第２実施形態による小便器１００のスプレッダ１３０の各ノズル部１６４，１６６のそれぞれの先端部の半球面状の表面１６４ａ，１６６ａに形成されている複数の散水孔１７６，１７８と異なっている。
【００５７】
上述した本発明の第３実施形態による小便器２００によれば、スプレッダ２３０の第２の吐水部２３８の各ノズル部２６４，２６６の複数の散水孔２７６，２７８のそれぞれから吐水された洗浄水Ｗ２は、スプレッダ２３０の第１の吐水口６０から吐水される洗浄水Ｗ１の第１の所定の瞬間流量Ｑ１［Ｌ／ｍｉｎ］よりも低い第２の所定の瞬間流量Ｑ２［Ｌ／ｍｉｎ］で、スプレッダ２３０から離間したボウル面４８の所定の着水領域Ｒ２に着水するようにボウル部６内の斜め上方に向けてシャワー状に吐水される。これにより、洗浄水Ｗ２は、スプレッダ２３０から離間したボウル面４８のそれぞれの所定の着水領域Ｒ２に着水するまではボウル面４８にほとんど接触することがなく、散水孔２７６，２７８の吐水時の第２の所定の瞬間流量Ｑ２［Ｌ／ｍｉｎ］で吐水の勢いをそのまま維持した状態で、ボウル面４８の所定の着水領域Ｒ２にシャワー状に広がりながら着水することができる。さらに、ボウル面４８の所定の着水領域Ｒ２に着水した後の洗浄水Ｗ２は、ボウル面４８に沿って左右方向に広がるように流れることにより、ボウル面４８を洗浄する範囲を左右方向に広げつつ、ボウル部６の外部へ飛び出すことなく排水口１０まで流れるため、第２の吐水部２３８を複数の散水孔２７６，２７８にした簡易な構成によって、第２の吐水部２３８の複数の散水孔２７６，２７８のそれぞれからシャワー状に吐水された比較的低い瞬間流量の洗浄水Ｗ２でもボウル面４８をより広範囲に亘って効果的に洗浄することができる。
【００５８】
なお、上述した本発明の第１実施形態〜第３実施形態の小便器１，１００，２００における各スプレッダ３０，１３０，２３０の各第２の吐水部３８，１３８，２３８については、いくつかの例として、単一の円形断面形状の第２の吐水口７６，７８、複数の散水孔１７６，１７８及び複数の散水孔２７６，２７８のそれぞれを採用した形態について説明したが、これらの形態に限られず、他の形態であってもよい。要するに、第２の吐水部については、第２の所定の瞬間流量Ｑ２［Ｌ／ｍｉｎ］で吐水した洗浄水Ｗ２をボウル面４８の所定の着水領域Ｒ２に着水させることができると共に、この着水後の洗浄水Ｗ２がボウル面４８に沿って左右方向に広がるように流れることにより、ボウル面４８を洗浄する範囲を左右方向に広げつつ、ボウル部６の外部へ飛び出すことなく排水口１０まで流れることができ、ボウル面４８に付着している尿による汚れを低洗浄水量で広範囲に亘って効果的に洗浄することができるようなものであれば、他の形態であってもよい。
【符号の説明】
【００５９】
１，１００，２００  小便器
２    便器本体
４    自動洗浄ユニット（吐水装置）
６    ボウル部
６ａ  ボウル部の前縁
６ｂ  ボウル部の前縁下端部
６ｃ  ボウル部の側壁部
８    収納室
１０    排水口
１２    目皿
１４    排水トラップ管路（排出部）
１６    主給水管
１６ａ  主給水路
１８    止水栓
２０    第１の給水管
２０ａ  第１の給水路
２２    第２の給水管
２２ａ  第２の給水路
２４    管継手（分岐部）
２６    第１の定流量弁（第１の流量調整手段）
２８    第１の開閉弁
３０，１３０，２３０  スプレッダ（吐水装置）
３２    第１の吐水部
３４    第２の定流量弁
３６    第２の開閉弁
３８，１３８，２３８  第２の吐水部
４０    逆止弁
４２    電解除菌水ユニット（電解除菌水供給部）
４４    人体検知センサ
４６    コントローラ（制御部）
４８    ボウル面
４８ａ  ボウル面の側部
４８ｂ  ボウル面の側部
４８ｃ  取付穴
５０    外装カバー
５２    スプレッダ本体部
５２ａ  取付穴
５４，１５４，２５４  ノズル部材（ノズル部）
５６    第１の通水路
５６ａ  上流側通水路
５６ｂ  下流側通水路
５８    第２の通水路
６０    第１の吐水口（第１の吐水部）
６２    ノズル部材の取付部
６４，１６４，２６４  ノズル部材の第１のノズル部（第２の吐水部のノズル部）
６６，１６６，２６６  ノズル部材の第２のノズル部（第２の吐水部のノズル部）
６８    ノズル部材の通水路
７０    第１のノズル部及び第２のノズル部の基端部
７２    ノズル部材の通水路
７４    ノズル部材の通水路
７６    第２の吐水口（第２の吐水部）
７８    第２の吐水口（第２の吐水部）
１６４ａ  ノズル部材の第１のノズル部の先端部における半球面状の表面
１６６ａ  ノズル部材の第２のノズル部の先端部における半球面状の表面
１７６，２７６  散水孔
１７８，２７８  散水孔
２６４ａ  ノズル部材の第１のノズル部の先端部の上面
２６６ａ  ノズル部材の第２のノズル部の先端部の上面
Ｃ１  スプレッダ本体部の中心軸線、ノズル部材の前後方向の中心軸線
Ｃ２  ノズル部材の第１のノズル部の中心軸線
Ｃ３  ノズル部材の第２のノズル部の中心軸線
Ｆ１  湾曲面
Ｆ２  湾曲面
Ｆ３  湾曲面
Ｆ４  湾曲面
Ｑ１  第１の所定の瞬間流量［Ｌ／ｍｉｎ］
Ｑ２  第２の所定の瞬間流量［Ｌ／ｍｉｎ］
Ｒ１  ボウル面の中央領域
Ｒ２  ボウル面の着水領域
Ｗ１  洗浄水の流れ
Ｗ２  洗浄水の流れ
α    ノズル部材のノズル部の傾斜角度
β    ノズル部材のノズル部の傾斜角度
【図１】
0006350819.tif 000002
【図２】
0006350819.tif 000003
【図３】
0006350819.tif 000004
【図４】
0006350819.tif 000005
【図５】
0006350819.tif 000006
【図６】
0006350819.tif 000007
【図７】
0006350819.tif 000008
【図８】
0006350819.tif 000009
【図９】
0006350819.tif 000010
【図１０】
0006350819.tif 000011
【図１１】
0006350819.tif 000012
【図１２】
0006350819.tif 000013
【図１３】
0006350819.tif 000014
【図１４】
0006350819.tif 000015